(57)【特許請求の範囲】
【請求項１】
ボトル容器の首部に掛着する首掛けラベルの保持具であって、該保持具は、天板、背面板、底板、及び支持板が折り線を介して一列に順次連接されたブランクからなり、該支持板を首掛けラベルの開口部に挿通し、かつ該支持板を該天板の係合部に係止して起立保持するように構成してなる首掛けラベル保持具。
【請求項２】
首掛けラベルが、開口部と情報表示部を備えた軟質のフィルム又はシートからなるものであって、該情報表示部が他の部分よりも剛性を有するものである、請求項１に記載の首掛けラベルの保持具。
【請求項３】
天板がつまみ穴を有する請求項１又は２に記載の首掛けラベル保持具。
【請求項４】
保持具が段ボール紙製である請求項１〜３のいずれかに記載の首掛けラベル保持具。
【請求項５】
首掛けラベルを保持した、請求項１〜４のいずれかに記載の首掛けラベル保持具を２以上収納してなる包装体であって、２以上の該保持具のうち少なくとも２つの該保持具の背面板が互いに対面するように、前記包装体の中に配置した２以上の該保持具を備える包装体。
【請求項６】
首掛けラベルを保持した、請求項１〜４のいずれかに記載の首掛けラベル保持具を２以上収納してなる包装体であって、前記包装体に収納された２以上の該保持具と、前記包装体に収納され、２以上の該保持具のうち少なくとも隣接する２つの該保持具の側面の間に設けた仕切り板とを備える包装体。
【発明の詳細な説明】
【技術分野】
【０００１】
本発明は首掛けラベル保持具に関し、詳しくは、首掛けラベルの輸送時に首掛けラベルを安定に保持することができる首掛けラベル保持具に関する。
【背景技術】
【０００２】
液体洗剤、漂白剤、かびとり剤、飲料水、化粧品等を内容物として収容するボトル容器は、内容物を充填収容した後、容器の首部にポンプ装置やキャップ等をキャッピングすることによって製品化される。また、これらのボトル容器は、該容器の表面に印刷等による表示や装飾を施して購入者に内容物の種類を識別させると共に、他の同類の商品と区別させ、又は商品の信頼性を向上させるようにして、販売の促進が図られている。
【０００３】
また、新製品の販売時や、特別な販売キャンペーンの期間中には、商品の広告宣伝効果をさらに高めることを目的として、ボトル容器の首部に首掛けラベルを装着して販売する場合がある。また、商品の適切な使用方法の喚起や、使用に際しての注意喚起を必要とする商品については、恒久的に首掛けラベルを装着する場合もある。
このような首掛けラベルは、一般に、合成樹脂製の薄板や板紙等からなるシート材に折り曲げ加工等を施して形成され、首掛け用の開口部を容器首部に掛着することにより、ボトル容器の胴部の外周面に取り付けられる。
【０００４】
このような首掛けラベルとしては、その宣伝広告効果や、容器に掛着する際の取り扱い易さ、コスト低減等を考慮して、種々の形態・形状のものが開発されている（例えば、特許文献１〜３参照）。
このような首掛けラベルは、首掛け用の開口部と情報表示部とを備えたものが一般的である。しかしながら、これらの首掛けラベルを箱等に詰めて輸送すると、首掛けラベルの開口部の周辺部分が折れ曲がって首掛け作業の効率悪化を招いたり、折れ曲がった部分がシワになり、これをそのままボトル容器に掛けて展示販売すると見栄えが悪く、商品価値を低下させるという問題があった。
【０００５】
【特許文献１】特開平１０−２３２６０９号公報
【特許文献２】特開２０００−７５７９０号公報
【特許文献３】特開２００５−３３５８０２号公報
【発明の開示】
【発明が解決しようとする課題】
【０００６】
本発明は、首掛けラベルの輸送時に、シワ等の発生により商品価値を低下させることがなく、開口部の折れ曲がりによる首掛け作業の効率悪化を防止するために、首掛けラベルを安定な状態で保持することができる首掛けラベル保持具を提供することを課題とする。
【課題を解決するための手段】
【０００７】
本発明は、次の（１）及び（２）を提供する。
（１）ボトル容器の首部に掛着する首掛けラベルの保持具であって、該保持具は、天板、背面板、底板、及び支持板が折り線を介して一列に順次連接されたブランクからなり、該支持板を首掛けラベルの開口部に挿通し、かつ該支持板を該天板の係合部に係止して起立保持するように構成してなる首掛けラベル保持具。
（２）首掛けラベルを保持した前記（１）の首掛けラベル保持具を２以上収納してなる包装体であって、２つの該保持具の背面板を対面するように配置、及び／又は隣接する該保持具の側面の間に仕切り板を設けるように構成してなる包装体。
【発明の効果】
【０００８】
本発明の首掛けラベル保持具によれば、首掛けラベルの輸送時に、首掛けラベルにシワ等を発生させることがなく、首掛けラベルを安定な状態で保持することができる。このため、首掛けラベルの開口部の折れ曲がりによる首掛け作業の効率悪化を防止し、輸送後の首掛けラベルをそのままボトル容器等に装着して展示販売しても、商品価値を低下させることがなく、有効な宣伝広告効果を発揮することができる。
【発明を実施するための最良の形態】
【０００９】
本発明の首掛けラベル保持具は、ボトル容器の首部に掛着する首掛けラベルの保持具であって、該保持具は、天板、背面板、底板、及び支持板が折り線を介して一列に順次連接されたブランクからなり、該支持板を首掛けラベルの開口部に挿通し、かつ該支持板を該天板の係合部に係止して起立保持するように構成されている。
【００１０】
まず図面を参照して、首掛けラベルについて説明する。図１（ａ）は首掛けラベルが装着された容器の正面図、（ｂ）は同側面図であり、図２は、首掛けラベルの正面図である。
首掛けラベル１０は、図１及び２に示すように、合成樹脂、ガラス等からなるボトル形状の容器本体１、特に正面が幅広の扁平なボトル容器本体１の首部２に装着されるものであり、軟質のフィルム又は合成樹脂製の薄いシートから形成されている。
首掛けラベル１０は、容器本体１の首部２に通して掛着するための開口部１１と、開口部１１の近傍に情報表示部１２を備えている。この首掛けラベル１０は、容器本体１の首部２に掛着にされると、容器本体１の正面に沿うようにして、情報表示部１２が下方に垂れ下がった状態となるため、購入者の目を引きつけ易く、商品の広告宣伝効果を高めることができる。
【００１１】
首掛けラベル１０の情報表示部１２には、容器本体１に収容された内容物の利用方法や広告表示等の印刷等を施したり、フィルム又はシートを重ねて形成したポケットを設けて、印刷や装飾がなされたシートやサンプル等の付属物を収納することができる。
情報表示部１２をポケットとし、そこに取扱い説明シートや付属物が収納された場合等は、情報表示部１２は、軟質の薄い１枚のフィルム又はシートからなる首掛けラベル１０の他の部分よりも剛性ないし保形性を有することになる。そのため、情報表示部１２以外の他の部分、特に開口部１１の近傍が折れたり、よれたり、シワが発生しやすくなり、そうなると容器本体１への首掛け作業の効率が悪化する。
【００１２】
首掛けラベル１０を扁平ボトル容器に使用する場合、首掛けラベル１０の開口部１１は、横方向（首掛けラベル１０の長手方向に垂直な幅方向）に長い長穴として形成される。開口部１１の周縁部全周の長さは、キャップ３が取り付けられた状態の首部２の外周の最大長さよりも大きく形成され、開口部１１が首部２に挿入しうる大きさ、形状に変形できるようになっている。開口部１１の形状は特に制限はなく、長円状、楕円状、長方状、菱形状、台形状等の種々の形状が採用される。
なお、開口部１１の角部は、開口部１１を広げる引っ張り力等が働くと、材質によっては裂けるおそれがあるため、角部をラウンド（Ｒ）形状にすることが好ましい。
【００１３】
首掛けラベル１０の材料としては、例えば、厚さが２０〜７０μｍ程度のポリプロピレン樹脂フィルムや、２軸延伸ポリプロピレン樹脂（ＯＰＰ）と無延伸ポリプロピレン樹脂（ＣＰＰ）の積層フィルム等が挙げられ、これらを切断、融着等の加工を行うことによって首掛けラベル１０が形成される。
【００１４】
次に、本発明の首掛けラベル保持具の実施形態について、図面を参照して説明する。
図３は、本発明の首掛けラベル保持具の一例を示す斜視図であり、図４は、そのブランクの展開図である。
図３及び４に示すように、本発明の首掛けラベル保持具２０は、天板２１、背面板２２、底板２３、及び支持板２４が折り線２５ａ、２５ｂ、２５ｃを介して一列に順次連接されたブランク３０からなり、これを組み立てることにより形成される。
首掛けラベル保持具２０（ブランク３０）の素材としては、特に制限はなく、厚手の紙単体、段ボール紙、厚手の紙を主材料とし合成樹脂フィルムを内層、中間層、外層等とする積層体等が挙げられる。これらの中では、取扱いの便宜上、及び対環境性等の観点から、特に段ボール紙が好ましい。
【００１５】
天板２１には、支持板２４を係止する係合部２６が設けられている。係合部２６は、支持板２４が係止可能に構成されていればよく、その形態は特に限定されない。例えば、鉤爪状、長孔状、スリット状等を採用することができる。
図３において、係合部２６は一対の鉤爪状に形成され、支持板２４は板状に形成されている。ここで、支持板２４は、その末端部に近い両側辺が、一対の鉤爪状の係合部２６により挟持されることで起立状態が保持される。
本発明の首掛けラベル保持具は、その取扱いの便宜上、天板２１には、つまみ穴２７を設けることが好ましい。特に、複数個の首掛けラベル保持具を包装体に収納した場合、つまみ穴２７を設けておけば、その包装体から首掛けラベル保持具を取り出し易くすることができる。
【００１６】
図５は、本発明の首掛けラベル保持具の種々の形態を示す斜視図である。支持板２４の形状は、首掛けラベル１０の開口部１１の形状にあわせて、図５に示すような種々の形態に設計することが好ましい。
図５（ａ）は、支持板２４の先端の両端部を一対の鉤爪状に形成し、天板２１の一対の鉤爪状の係合部２６と嵌合させた形態であり、図５（ｂ）は、支持板２４の側端部を延長して、底板２３の幅（本保持具の長手方向に垂直な方向）と同等又はよりもやや広幅にし、これを内側に折って、その断面を天板２１に対して略凹状とした形態である。
【００１７】
図５（ｃ）は、支持板２４の側端部を延長して、底板２３の幅よりも広幅にし、これを湾曲させて接合し、楕円柱状又は略円柱状とした形態であり、図５（ｄ）は、支持板２４を天板２１に設けたスリットに挿通させた形態である。ラベル保持具を図５（ｃ）及び（ｄ）のような形態にする場合、天板２１の係合部２６は、支持板２４の断面形状に対応させて、円孤状のスリット、楕円状又は略円状の透孔、線状のスリット等として適宜構成することができる。
図５（ｅ）は、支持板２４の先端部を若干延長して内側に折って係合を強化した形態であり、図５（ｆ）は、底板２３と支持板２４が連接する略中央部に切欠き片を設けて、その切欠き片を背面板２２に向かって折り込んで、その切欠き片の先端を天板２１に挿通させた形態である。
【００１８】
図６は、本発明の首掛けラベル保持具に、首掛けラベルを保持した例を示す斜視図である。本発明の首掛けラベル保持具を使用する場合は、先ず、図４に示すブランク３０の底板２３を底部にして、背面板２２、天板２１、及び支持板２４を、折り線２５ａ、２５ｂ、２５ｃに沿って内側に折り、支持板２４を起立するように組み立てて枠体状に形成する。
次いで、首掛けラベル１０を束にし、支持板２４を首掛けラベル１０の開口部１１に挿通して、首掛けラベル１０を支持板２４に保持させた後、支持板２４を天板２１の係合部２６に係止して起立保持するように組み立てる。
【００１９】
支持板２４の高さに特に制限はないが、取扱いの便宜上、及び輸送の効率上、首掛けラベル１０を複数枚保持できることが好ましく、例えば、１０枚、１００枚あるいは５００枚等、保持する首掛けラベル１０の枚数に応じた支持板２４の高さに構成する。
図６に示すように、支持板２４が板状であり、天板２１の係合部２６が鉤爪状である場合は、首掛けラベル１０を支持板２４に保持させた後、支持板２４を、天板２１の係合部２６に嵌通し、支持板２４を係合部２６に係止させる。この場合、支持板２４の末端部に近い両側辺が、一対の鉤爪状の係合部２６により挟持ないし嵌合係止され、支持板２４が起立保持される。支持板２４は、係合部２６に嵌通し、又は係合部２６から嵌脱することができ、着脱自在である。
【００２０】
本発明の包装体は、首掛けラベルを保持した前記首掛けラベル保持具（図６参照）を２以上収納してなる包装体であって、２つの該保持具の背面板を対面するように配置、及び／又は隣接する該保持具の側面の間に仕切り板を設けるように構成してなるものである。
図７は、本発明の包装体の一例を示す平面図である。図７において、包装体４０は、その外箱４１内に、首掛けラベル１０を２００枚程度保持した首掛けラベル保持具２０を１０セット収納している。首掛けラベル１０の束を保持した首掛けラベル保持具２０のセット数は特に限定されず、２セット以上を外箱４１内に収納することが可能である。取扱いの便宜上、及び輸送効率の観点から、外箱４１内に首掛けラベル保持具２０を８〜１６セット収納することが実用的である。
【００２１】
図７において、２つの首掛けラベル保持具２０（Ａ）及び２０（Ｂ）は、両者の背面板２２（Ａ）及び２２（Ｂ）を対面するように配置されている。また、隣接する首掛けラベル保持具２０の側面の間に仕切り板４２が計４枚設けられている。このため、本発明の首掛けラベル保持具２０及び首掛けラベル１０は、その背面板２２及び側面において移動が規制されている。
首掛けラベル保持具２０を２セット収納する場合、２つの首掛けラベル保持具２０（Ａ）及び２０（Ｂ）を対面するように配置すれば、包装体の外箱４１の壁が首掛けラベル保持具２０の移動を防止するので仕切り板４２を必要としない。しかしながら、２つの首掛けラベル保持具２０（Ａ）及び２０（Ｂ）を横に並べるように配置する場合は、それらの移動を規制するために仕切りを設けることが好ましい。
包装体４０の外箱４１及び仕切り板４２の素材は特に制限されないが、強度の観点、取扱いの便宜上、首掛けラベル保持具２０と同じ素材が好ましく、特に段ボール紙が好ましい。
【００２２】
本発明の包装体は、上記のように構成されているため、首掛けラベル１０の輸送時に、首掛けラベル１０が振動により位置ずれして乱れたり、シワになったり折れたりすることがなく、首掛けラベル１０を安定な状態で保持することができる。このため、輸送後の首掛けラベル１０をそのままボトル容器本体１に装着することが容易であり、展示販売しても、その商品価値を低下させることがなく、有効な宣伝広告効果を発揮することができる。
【図面の簡単な説明】
【００２３】
【図１】（ａ）は首掛けラベルが装着された容器の正面図、（ｂ）は同側面図である。
【図２】首掛けラベルの正面図である。
【図３】本発明の首掛けラベル保持具の一例を示す斜視図である。
【図４】図３のブランクの展開図である。
【図５】本発明の首掛けラベル保持具の種々の形態を示す斜視図である。
【図６】本発明の首掛けラベル保持具に、首掛けラベルを保持した例を示す斜視図である。
【図７】本発明の包装体の一例を示す平面図である。
【符号の説明】
【００２４】
１：容器本体
２：容器の首部
３：キャップ
１０：首掛けラベル
１１：開口部
１２：情報表示部
２０：首掛けラベル保持具
２１：天板
２２：背面板
２３：底板
２４：支持板
２５ａ、２５ｂ、２５ｃ：折り線
２６：係合部
２７：つまみ穴
３０：ブランク
４０：包装体
４１：包装体の外箱
４２：仕切り板
【図１】
0004783211.tif 000002
【図２】
0004783211.tif 000003
【図３】
0004783211.tif 000004
【図４】
0004783211.tif 000005
【図５】
0004783211.tif 000006
【図６】
0004783211.tif 000007
【図７】
0004783211.tif 000008